(57)【要約】【課題】上下段に配置された複数の給紙カセットの中から優先的に給紙される優先給紙カセットが給紙不能になった場合に、優先給紙カセットから切り替えた給紙カセットでジャムが発生したとしても、他の給紙カセットから印刷を継続することができる画像形成装置を提供する。【解決手段】優先給紙カセットから給紙することができるかを判定する判定手段と、前記判定手段の判定結果に基づいて、前記優先給紙カセットと異なる、給紙することができる他の給紙カセットがあるかを検索する検索手段と、前記検索手段の検索結果に基づいて、給紙される給紙カセットを、前記優先給紙カセットから、複数の前記他の給紙カセットのうち最も下段に配置された給紙カセットに切り替える切替制御手段とを備える。【選択図】図３
2008019012.tif 000002
【特許請求の範囲】
【請求項１】
上下段に配置された複数の給紙カセットを備え、前記複数の給紙カセットの中から優先的に給紙される優先給紙カセットを設定することができる画像形成装置において、
前記優先給紙カセットから給紙することができるかを判定する判定手段と、
前記判定手段により前記優先給紙カセットから給紙することができないと判定された場合、前記優先給紙カセットと異なる、給紙することができる他の給紙カセットがあるかを検索する検索手段と、
前記検索手段により給紙することができる前記他の給紙カセットが複数検索された場合、給紙される給紙カセットを、前記優先給紙カセットから、複数の前記他の給紙カセットのうち最も下段に配置された給紙カセットに切り替える切替制御手段と、
を備えることを特徴とする画像形成装置。
【請求項２】
前記検索手段が、ユーザが印刷を指示した用紙のサイズと同一のサイズの用紙を給紙する給紙カセットがあるかを検索する用紙サイズ検索手段
を備える請求項１に記載の画像形成装置。
【請求項３】
前記検索手段が、用紙が収容されている給紙カセットがあるかを検索する用紙有無検索手段
を備える請求項１又は２記載の画像形成装置。
【請求項４】
給紙カセットから給紙された用紙が搬送路へ供給される際に、ジャムが発生しているか否かを検出するジャム検出手段を備え、
前記ジャム検出手段が、前記最も下段に配置された給紙カセットでジャムが発生したことを検知した場合、前記切替制御手段が、給紙される給紙カセットを、前記最も下段に配置された給紙カセットから、上段に配置された給紙カセットに切り替える
を備える請求項１ないし３のいずれか１項に記載の画像形成装置。
【発明の詳細な説明】
【技術分野】
【０００１】
本発明は、画像形成装置に関し、詳しくは、用紙が収容される複数の給紙カセットを有する画像形成装置に関する。
【背景技術】
【０００２】
上下段に配置された複数の給紙カセットを備える画像形成装置が知られている。これら複数の給紙カセットには、異なるサイズの用紙がそれぞれ収容されることもあれば、例えばＡ４サイズ等のように使用頻度の高いサイズの用紙については複数の給紙カセットに渡って収容されることもある。
【０００３】
同一の用紙が複数の給紙カセットに渡って収容される場合、ユーザは優先的に給紙される優先給紙カセットを予め設定することができるようになっている。この設定により、メインスイッチＯＮ時、オートクリア時、オートリセット時等のいわゆるイニシャルモード時には、自動的に優先給紙カセットが選択されて印刷が行われることとなる。
【０００４】
ところが、優先給紙カセットが例えば用紙切れ、あるいはジャムの発生等により給紙不能な状態になることがある。このような場合に備え、例えば特許文献１に記載されているように、優先給紙カセットと異なる給紙カセットを自動的に選択し、その選択した給紙カセットから印刷を続行する方法がとられている。こうすることで、ユーザは、優先給紙カセットに用紙を補給しなくても、あるいは優先給紙カセットから詰まった用紙を取り除かなくても、選択した給紙カセットから印刷を続行することができる。
【０００５】
そして、その選択された給紙カセットでジャムが発生した場合にも、さらに他の給紙カセットに切り替えて印刷を続行する方法もとられている。
【特許文献１】特許第２６６１１２８号公報
【発明の開示】
【発明が解決しようとする課題】
【０００６】
ところが、優先給紙カセット以外に選択可能な給紙カセットが上下段に複数ある場合には、上段の給紙カセットを選択するか、下段の給紙カセットを選択するかは特に決められていなかった。
【０００７】
このため、優先給紙カセットから切り替えられた給紙カセットでジャムが発生し、さらに他の給紙カセットに切り替えて印刷を続行する場合に、以下のような問題があった。
【０００８】
ジャムが発生した給紙カセットと、他の給紙カセットとの上下の位置関係によって、給紙カセットを切り替えて印刷を続行することが出来る場合もあれば、切り替えても印刷を続行することができない場合があった。
【０００９】
すなわち、ある給紙カセットでジャムが発生した場合、そのジャムを起こした給紙カセットより下段に配置された他の給紙カセット（すなわち、用紙搬送路の上流側に配置された給紙カセット）からは引き続いて印刷を続行することができない。上流側の前記他の給紙カセットから給紙された用紙は、下流側で発生したジャムの発生位置を通過しなければならないが、搬送路はジャムによって塞がれた状態になっているからである。
【００１０】
他方、ジャムの発生位置によっては、他の給紙カセットに切り替えて引き続き印刷を続行することが可能な場合がある。ある給紙カセットでジャムが発生した場合であっても、そのジャムを起こした給紙カセットより上段に配置された給紙カセット（下流側に配置された給紙カセット）からは印刷を続行することができる。下流側の給紙カセットから給紙された用紙は、それより上流側のジャム発生位置を通過することはなく、搬送路は確保されているからである。
【００１１】
本発明は、上記従来の問題を解決するために提案するものであって、優先設定された給紙カセットと異なる給紙カセットでジャムが発生したとしても、さらに他の給紙カセットから印刷を継続させることで、印刷の中断を防止することができる画像形成装置を提供することを目的とする。
【課題を解決するための手段】
【００１２】
本発明の画像形成装置は、上下段に配置された複数の給紙カセットを備え、前記複数の給紙カセットの中から優先的に給紙される優先給紙カセットを選択することができることを前提としている。そして、本発明の画像形成装置は、前記優先給紙カセットから給紙することができるかを判定する判定手段と、前記判定手段により前記優先給紙カセットから給紙することができないと判定された場合、前記優先給紙カセットと異なる、給紙することができる他の給紙カセットがあるかを検索する検索手段と、前記検索手段により給紙することができる前記他の給紙カセットが複数検索された場合、給紙される給紙カセットを、前記優先給紙カセットから、複数の前記他の給紙カセットのうち最も下段に配置された給紙カセットに切り替える切替制御手段とを備えている。
【００１３】
この構成によれば、優先給紙カセットから給紙することができなくなり、他の給紙カセットに切り替える場合において、給紙可能な給紙カセットの中で最も下段に配置された給紙カセットを選択して切り替えることができる。このため、切り替えられた給紙カセットでジャムが発生した場合に、ジャムを起こした給紙カセットは、最も下段に配置された給紙カセットということになる。したがって、ジャムを起こした給紙カセットより上段の給紙カセットからは引き続き印刷を再開することができる。下段の給紙カセットでジャムが発生したとしても、上段の給紙カセットの搬送経路を塞ぐことにはならないからである。以上より、ユーザは、ジャムを解除するために印刷を中断する必要はなく、印刷時間を短くすることができる。
【００１４】
また、前記検索手段が、ユーザが印刷を指示した用紙のサイズと同一のサイズの用紙を収容する給紙カセットを検索する用紙サイズ検索手段を備えてもよい。
【００１５】
また、前記検索手段が、給紙カセット内に用紙があるか否かを検出する用紙有無検出手段を備えてもよい。
【００１６】
さらに、本発明の画像形成装置には、給紙カセットから給紙された用紙が、搬送路へ供給される際にジャムが発生しているか否かを検出するジャム検出手段を備えてもよい。
【発明の効果】
【００１７】
以上のような構成を採用することにより、本発明では、優先設定された給紙カセットと異なる給紙カセットでジャムが発生したとしても、他の給紙カセットから印刷を継続することができる。
【発明を実施するための最良の形態】
【００１８】
以下、添付図面を参照して、本発明の実施の形態につき説明し、本発明の理解に供する。この実施の形態では、デジタル複写機として本発明を具体化している。図１は、本実施の形態における複写機１００の全体構成を示す概念図である。ユーザが複合機を利用して原稿の印刷を行う場合、原稿を例えば原稿台１０３に載置し、原稿台１０３近傍に供えられた操作ボタンに対して印刷の指示を行う。当該指示があると、以下に示す各部（駆動部）が動作することで、印刷が行われる。
【００１９】
画像読取部１０１において、光源１０４から照射された光は、原稿台１０３に置かれた原稿に反射し、ミラー１０５、１０６、１０７によって撮像素子１０８に導かれる。撮像素子１０８は受光した光を光電変換することで、原稿の画像データが生成される。このようにして原稿の画像データが、画像読取部１０１にて読み取られる。
【００２０】
画像形成部１０２に備えられた感光体ドラム１０９は、一定速度で所定の方向に回転し、その周囲には、回転方向の上流側から順に、帯電器１１０、露光器１１１、現像器１１２、転写器１１３などが配置されている。帯電器１１１は、感光体ドラム１０９表面を一様に帯電させる。露光器１１１は、画像読取部１０１によって読み取られた画像データに応じて光を照射し、感光体ドラム１０９上に静電潜像を形成する。現像器１１２は、前記露光器１１１によって形成された静電潜像にトナーを付着させ、感光体ドラム１０９上にトナー像を形成する。転写器１１３は、感光体ドラム１０９上のトナー像を用紙に転写する。このようにして、感光体ドラム１０９が回転することによりこれらの一連のプロセスが画像形成部１０２において行われる。
【００２１】
給紙装置１２３は、第１から第４の給紙カセット１２２を備えている。第１及び第２給紙カセット１２２ａ、１２２ｂにはＡ４サイズの用紙が、第３及び第４給紙カセット１２２ｃ、１２２ｄにはＢ５サイズの用紙が、それぞれ収容されている。このようにＡ４サイズ、Ｂ５サイズ等のように使用頻度の高い用紙は、複数の給紙カセット１２２に渡って収容することができる。連続して多数の用紙を印刷でき、かつ用紙を補給する回数を減らすためである。
【００２２】
なお、給紙装置１２３が複数の給紙カセットを有する場合は、どの給紙カセットに、どのサイズの用紙が収容されているかが、ユーザによって、あるいは自動的に初期設定されている。さらに、ユーザは、第１から第４の給紙カセットの中から、優先的に給紙される優先給紙カセットを設定することができる。したがって、優先給紙カセットに最も使用頻度の高い用紙を収容することで、例えばメインスイッチＯＮ時には自動的に使用頻度の高い用紙が供給されることとなり、ユーザにとって便利である。
【００２３】
画像形成部１０２は、印刷を行うときは何れか１つの給紙カセット１２２から用紙１枚をピックアップローラ１１５を用いて給紙する。給紙カセット１２２から引き出された用紙は、搬送ローラ１２４により共通の経路となる用紙搬送路１２５へ引き出される。搬送ローラ１２５の下流側近傍には、給紙カセット１２２毎にジャム検知センサ１２６が設けられており、給紙カセットでジャムが発生していないかを検知している。用紙搬送路１２５に引きだれた用紙は、レジストローラ１１７で感光体ドラム１０９と転写器１１３の間に送り込まれる。
【００２４】
定着装置１１８において、加熱ローラ１１９と加圧ローラ１２０の間を用紙が通過すると、熱と用紙への押圧力によって可視像が用紙に定着する。画像形成部１０２は、定着装置１１８を通過した用紙を排紙トレイ１２１へ排紙する。
【００２５】
図２は、本実施形態における画像形成装置の制御関連の概略構成図である。
【００２６】
画像形成装置１００は、ＣＰＵ（Central Processing Unit）２０１、ＲＡＭ（Random Access Memory）２０２、ＲＯＭ（Read Only Memory）２０３、ＨＤＤ（Hard Disk Drive）２０４及び前記印刷における各駆動部に対応するドライバ２０５が内部バス２０６を介して接続されている。上記ＣＰＵ２０１は、例えばＲＡＭ２０２を作業領域として利用し、ＲＯＭ２０３やＨＤＤ２０４等に記憶されているプログラムを実行する。当該実行結果に基づいて上記ドライバ２０５とデータや命令を授受することにより上記図１に示した各駆動部の動作を制御する。また、上記駆動部以外の後述する各手段（図３に示す）についても、ＣＰＵ２０１がプログラムを実行することで各手段として動作する。
【００２７】
次に、本実施形態の複写機に用いられる上記駆動部以外の各手段について説明する。図３は、本実施形態における制御関連のブロック図である。
【００２８】
用紙検知センサ３０１は、各給紙カセット１２２内に設けられており、給紙カセット１２２内に用紙があるか否かを検知する。検知方法は種々のものが考えられるが、本実施形態では、各給紙カセット１２２内に設けられたリフト板の位置を検知する。すなわち、リフト板は、給紙カセット１２２内の用紙の残量に応じて昇降可能となっているため、例えば用紙が全て送り出され場合は上昇しきった位置にあることになる。この最上位にあるリフト板を検知することで、用紙検知センサ３０１は、用紙が全て無くなったかどうかを検知することができる。
【００２９】
用紙管理テーブル３０２は、どの給紙カセットに、どのサイズの用紙が収容されているかについての情報を有するデータベースとして、例えばＲＡＭ内に記憶されている。どの給紙カセットにどのサイズの用紙を収容するかは、自動的にあるいはユーザによって初期設定される。また、ユーザは設定を変更して用紙管理テーブル３０２の情報を更新することも可能となっている。
【００３０】
判定手段３０３は、優先給紙カセットから給紙することができるか否かを判定する。給紙可能であるかの判定の内容はいくつか考えられるが、本実施形態では、優先給紙カセット内の用紙とユーザが印刷を指示した用紙とが同一のサイズであるか、また、優先給紙カセット内に用紙が収容されているかが判定される。
【００３１】
優先給紙カセット内の用紙とユーザが印刷を指示した用紙とが同一のサイズであるかは、用紙サイズ判定手段３０４によって判定される。用紙サイズ判定手段３０４は、前記用紙管理テーブル３０２の情報を読み込んで判定を行う。
【００３２】
優先給紙カセット内に用紙があるか否かは、用紙有無判定手段３０５により判定される。用紙有無判定手段３０５は、優先給紙カセットに設けられた用紙検知センサ３０１から、用紙が無くなった旨の用紙検知信号を受信する。この受信によって、用紙有無判定手段３０５は、優先給紙カセットの用紙の有無状態を把握している。
【００３３】
以上、用紙サイズ判定手段３０４又は用紙有無判定手段３０５によって、優先給紙カセット内の用紙と、ユーザが印刷を指示した用紙とはサイズが同一でないと判定された場合、又は、優先給紙カセット内には用紙がないと判定された場合は、優先給紙カセットから給紙することができないと判定される。
【００３４】
他方、用紙サイズ判定手段３０４及び用紙有無判定手段３０５によって、優先給紙カセット内に用紙が収容されており、かつ、その用紙とユーザが印刷を指示した用紙がサイズが同一であると判定された場合は、優先給紙カセットから給紙することができると判定される。
【００３５】
検索手段３０６は、判定手段３０３により優先給紙カセットから給紙することができないと判定された場合、優先給紙カセットと異なる、給紙することができる他の給紙カセットがあるかを検索する。給紙することができる給紙カセットとは、ユーザが印刷を指示した用紙と同一のサイズの用紙を給紙する給紙カセットであって、かつその用紙が収容されている給紙カセットをいう。
【００３６】
どの給紙カセットに、ユーザが印刷を指示した用紙と同一のサイズの用紙が収容されているかは、用紙サイズ検索手段３０７によって検索される。用紙サイズ検索手段３０７は、用紙管理テーブル３０２の情報を読み込んで検索する。
【００３７】
給紙カセットに用紙が収容されているかは、用紙有無検索手段３０８によって検索される。用紙有無検索手段３０８は、各給紙カセットに設けられた前記用紙検知センサ３０１からの信号に基づいて、どの給紙カセットに用紙が収容されているかを把握することができる。したがって、前記用紙検知センサから用紙が無くなった旨の信号を受けない限り、その用紙検知センサがある給紙カセットには、用紙は収容されているとみなされる。
【００３８】
以上、用紙サイズ検索手段３０７及び用紙有無検索手段３０８によって、用紙が収容されており、かつ、その用紙とユーザが印刷を指示した用紙がサイズが同一である給紙カセットがあるかが検索される。
【００３９】
前記検索手段３０６が、給紙することができる他の給紙カセットを検索した場合、切替制御手段３０９は、給紙される給紙カセットを、前記優先給紙カセットから他の給紙カセットに切り替える。このとき、検索手段３０６が、給紙可能な他の給紙カセットを一つしか検索しなかった場合は、切替制御手段３０９は、その給紙カセットに切り替えて印刷を実行する。これに対して、前記検索手段３０６が、給紙可能な他の給紙カセットを複数検索した場合は、前記切替制御手段３０９は、その複数の給紙カセットのうち、最も下段に配置された給紙カセットに切り替えて印刷を実行する。
【００４０】
ジャム検知センサ１２６は、用紙が給紙カセットから搬送路に供給される際にジャムが発生しているか否かを検知する。ジャム検知方法は種々のものが考えられるが、本実施形態では、用紙が給紙されてから所定時間内に搬送路へ引き出されているかを検知することで、ジャムが発生しているかを検知する。
【００４１】
ジャム検知センサ１２６の構成は、光を発光する、例えば発光ダイオードからなる発光素子と、該発光素子からの光を受光する、例えばフォトトランジスタからなる受光素子とを備えている。発光素子と受光素子は、搬送されてきた用紙を挟んで対向する位置に設けられている。そして、発光素子からの光を受光素子が受けることができるか否かで、用紙が搬送されてきたかを検出することができるようになっている。すなわち、用紙が発光素子と受光素子との間に搬送されてくると、発光素子からの光は用紙に遮られるために受光素子に達することはない。これにより、ジャム検知センサ１２６は、用紙が搬送されてきたことを検知することができる。そして、ジャムを検知した場合は、ジャム検知信号を後述するジャム監視手段に送信する。
【００４２】
ジャム監視手段３１１は、各給紙カセット１２２でジャムが発生しているか否かを監視する。具体的には、前記ジャム検知センサ１２６からジャム検知信号を受信することで、各給紙カセット１２２のジャム発生の有無状態を把握できるようになっている。
すなわち、ジャム監視手段３１１が、用紙が給紙されてから所定時間以内にジャム検知信号を受信した場合は、ジャムは発生していないと判定される。これに対して、用紙が給紙されてから所定時間が経過しても、ジャム検知信号を受信しない場合は、給紙カセットから搬送路に供給される際にジャムが発生したと判定される。なお、ジャム検知センサ１２６は、各給紙カセット１２２に設けられているため、給紙カセット１２２ごとにジャムの発生の有無を判定することができる。
【００４３】
次に、本実施形態の複写機における印刷の処理手順について説明する。図４は、本実施形態の複写機における印刷の処理手順を示すフローチャートである。
【００４４】
まず、ユーザが、Ａ４サイズの用紙について印刷の指示を実行すると（Ｓ１）、前記判定手段により、優先給紙カセットから印刷を行うことができるか否かが判定される（Ｓ２）。
【００４５】
具体的には、優先給紙カセット内に用紙があり、かつ、その用紙のサイズがユーザが印刷を指示した用紙のサイズと同一である場合には、優先給紙カセットから印刷を行うことができると判定される（Ｓ２の判定がＹＥＳの場合）。この場合は、優先給紙カセットからＡ４サイズの用紙が給紙されて印刷が行われる（Ｓ３）。
【００４６】
これに対して、優先給紙カセット内に用紙がない場合、または優先給紙カセット内の用紙と、ユーザが印刷を指示した用紙とがサイズが同一でない場合には、優先給紙カセットから印刷を行うことができないと判定される（Ｓ２の判定がＮＯの場合）。
【００４７】
この場合、検索手段により、前記優先給紙カセットと異なる、給紙可能な他の給紙カセットがあるかが検索される（Ｓ４）。給紙可能な他の給紙カセットとは、上述の通り、用紙が収容されており、その用紙のサイズとユーザが印刷を指示した用紙のサイズとが同一である給紙カセットをいう。
【００４８】
給紙可能な他の給紙カセットが一つしか検索されなかった場合（Ｓ４の判定がＮＯの場合）、その給紙カセットから印刷が行われる（Ｓ５）。
【００４９】
これに対して、給紙可能な他の給紙カセットが複数検索された場合（Ｓ４の判定がＹＥＳの場合）、切替制御手段によって、その複数の給紙カセットのうち最も下段に配置された給紙カセットに切り替えて印刷が実行される（Ｓ６）。
【００５０】
このようにして、前記給紙カセットから印刷が実行されるのであるが、その実行の間、ジャム監視手段によりジャムが発生しているか否かが監視される（Ｓ７）。
【００５１】
ジャムが発生していない場合（Ｓ７の判定がＮＯの場合）は、切り替えた給紙カセットから引き続き印刷が実行される。
【００５２】
これに対して、ジャムが発生していると判定された場合（Ｓ７の判定がＹＥＳの場合）、このジャムにより他の給紙カセットの搬送路が塞がれているか否かが判定される。（Ｓ８）
給紙カセットの搬送路が塞がれているか否かは、ジャムが発生した給紙カセットと、他の給紙カセットとの上下の位置関係から判定される。すなわち、ジャムが発生した給紙カセットが、ある給紙カセットより上段（用紙搬送路の下流側）に配置されてい場合は、その給紙カセットの用紙搬送路は塞がれていると判定される。上流側の他の給紙カセットから給紙された用紙は、下流側で発生したジャムの発生位置を通過することになるからである。
【００５３】
他方、ジャムが発生した給紙カセットが、ある給紙カセットより下段に配置されている場合は、その給紙カセットの用紙搬送路は塞がれていないと判定される。下流側の給紙カセットから給紙された用紙は、上流側で発生したジャム位置を通過することはないからである。
【００５４】
他の給紙カセットの搬送路が塞がれていると判定された場合（Ｓ８の判定がＹＥＳの場合）、印刷は中断される。そして、ユーザがジャムを起こした用紙を取り除いてから、印刷は再開される。
【００５５】
他の給紙カセットの搬送路が塞がれていないと判定された場合（Ｓ８の判定がＮＯの場合）、Ｓ４に戻り、以下同様の手順が繰り返される。
【００５６】
本実施形態では、Ｓ６において、切替制御手段は、その複数の給紙カセットのうち最も下段に配置された給紙カセットに切り替えて印刷を実行している。このため、その給紙カセットでジャムが発生したとしても、そのジャムによって他の給紙カセットの用紙搬送路が塞がれることはない。したがって、ジャムが発生した給紙カセットより上段に配置された給紙カセットに切り替えて、印刷が続行することとなる。
【００５７】
以上のように、給紙カセットがジャムにより給紙不能な状態になったとしても、その給紙カセットは、下段に配置された給紙カセットであるため、他の給紙カセットの用紙搬送路を塞ぐことにはならない。このため、ユーザは、紙詰まりの用紙を取り除くという作業をせずに、印刷を続行することができるため、印刷時間の短縮を図ることができる。
【００５８】
また、紙詰まりの用紙を取り除かなくても印刷を再開することができるため、用紙を取り除く時間に制限を受けることはない。
【００５９】
尚、上述した実施の形態は、本発明を具体化した一例であって、本発明の技術的範囲を限定する性格のものではない。
【００６０】
したがって、例えば、本実施形態の検索手段は、用紙がある給紙カセットを検索する用紙有無検索手段、用紙のサイズを検索する用紙サイズ検索手段を備えているが、それ以外にも、給紙することができる給紙カセットを検索する手段を備えていてもよい。例えば、給紙装置から引き出された給紙カセットを検索する検索手段を備えていてもよい。この検索手段が、給紙カセットが引き出された状態にあると判定した場合は、給紙カセットから給紙することができないと判定される。
【産業上の利用可能性】
【００６１】
本発明にかかる画像形成装置は、複数の給紙カセットを備えており、複写機やプリンタ、ファクシミリ、複合機など様々な機器に有用である。
【図面の簡単な説明】
【００６２】
【図１】本実施の形態における複写機の概略構成図。
【図２】本実施の形態における複写器の制御関連の概略構成図。
【図３】本実施の形態における複写器の制御関連の概略ブロック図。
【図４】本実施形態の複写機における印刷の処理手順を示すフロチャート。
【符号の説明】
【００６３】
１００  複写機
１２２  給紙カセット
１２２ａ  第１給紙カセット
１２２ｂ  第２給紙カセット
１２６  ジャム検知センサ
３０１  用紙検知センサ
３０２  用紙管理テーブル
３０３  判定手段
３０４  用紙サイズ判定手段
３０５  用紙有無判定手段
３０６  検索手段
３０７  用紙サイズ検索手段
３０８  用紙有無検索手段
３０９  切替制御手段
３１１  ジャム監視手段
【図１】
2008019012.tif 000003
【図２】
2008019012.tif 000004
【図３】
2008019012.tif 000005
【図４】
2008019012.tif 000006